(57)【要約】【課題】  簡易に、最適消去パワーを設定可能な光学情報記録媒体の記録条件設定方法を提供する。【解決手段】  光学情報記録媒体に再生光を照射して、未記録トラックの反射光量に対応する信号レベルを測定する（ステップＡ０２）。その後、テストパターンを所定の記録パワーで記録し（ステップＡ０４）、そのテストパターンを、消去パワーを段階的に変化させながら消去する（ステップＡ０５）。各消去パワーでの反射光量に対応する信号レベルを測定し（ステップＡ０６）、その信号レベルと、未記録トラックの反射光量に対応する信号レベルとの差が、所定の範囲内に入る消去パワーを抽出する（ステップＡ０７）。ステップＡ０７で抽出された消去パワーのうちで最小の消去パワーを、最適消去パワーに設定する（ステップＡ１０）。【選択図】    図３
2006268937.tif 000002
【特許請求の範囲】
【請求項１】
データの消去及び記録を一体的に行うオーバーライトによって記録を行う形式の光学情報記録媒体にデータを記録する際の記録条件を設定する方法において、
光学情報記録媒体の未記録領域に所定の再生光パワーを有する再生光を照射して該未記録領域からの反射光量を測定するステップと、
光学情報記録媒体の記録テスト領域に、テストパターンを所定の記録パワーで記録するステップと、
前記記録ステップで記録されたテストパターンを複数の消去区域に区分し、該複数の消去区域のテストパターンのそれぞれを段階的に変化させた各消去パワーで消去するステップと、
前記消去ステップで消去されたテストパターンに前記所定の再生光パワーを有する再生光を照射して、前記消去区域毎に再生光の反射光量を測定するステップと、
各消去区域で測定された反射光量と、前記未記録トラックからの反射光量との差をそれぞれ算出するステップと、
前記算出された差が所定の範囲内にある消去区域の消去パワーを抽出するステップと、
前記抽出された消去パワーのうちで最小の消去パワーを最適消去パワーとして選定するステップとを有することを特徴とする光学情報記録媒体の記録条件設定方法。
【請求項２】
前記抽出ステップで、前記算出された差が所定の範囲内にある消去区域の消去パワーが抽出できない場合には、前記記録ステップ及び該記録ステップに後続する各ステップを繰り返し、該記録ステップに後続する消去ステップでは、消去パワーを段階的に変化させる幅をより小さな幅に変更して消去を行う、請求項１に記載の光学情報記録媒体の記録条件設定方法。
【請求項３】
前記光学情報記録媒体及び記録再生装置の少なくとも一方には、光学情報記録媒体の記録パワーの規定値を示すデータが記憶されており、前記光学情報記録媒体又は前記記録再生装置から読み出した記録パワーの既定値又は該規定値に所定の係数（但し、該係数は１以上の値）を掛けた値を、前記所定の記録パワーとする、請求項１又は２に記載の光学情報記録媒体の記録条件設定方法。
【請求項４】
データの消去及び記録を一体的に行うオーバーライトによって記録を行う形式の光学情報記録媒体にデータを記録する際の記録条件を設定する方法において、
光学情報記録媒体の記録テスト領域に、テストパターンを第１の記録パワーでそれぞれ記録する第１ステップと、
前記記録ステップで記録されたテストパターンを複数の消去区域に区分し、該複数の消去区域のテストパターンのそれぞれを段階的に変化させた各消去パワーで消去する第２ステップと、
前記消去ステップで消去されたテストパターンに再生光を照射して、前記消去区域毎に再生光の反射光量を測定する第３ステップと、
各消去区域毎に測定された反射光量と、光学情報記録媒体の未記録トラックについて予め定められた反射光量との差をそれぞれ算出する第４ステップと、
前記算出された差が所定の範囲内にある消去区域の消去パワーを抽出する第５ステップと、
前記第５ステップで抽出された消去パワーのうちで最小の消去パワーを選択する第６ステップと
を含む消去パワー決定処理を、前記第１の記録パワーの値を増加させつつ、少なくとも２回繰り返し、２回目以降の消去パワー決定処理の終了に後続し、
最後の２つの消去パワー決定処理の第６ステップで選択された双方の最小の消去パワーを相互に比較するステップと、
前記比較ステップでの比較結果に基づいて、前記双方の最小の消去パワーに基づいて最適消去パワーを決定するステップを更に有することを特徴とする光学情報記録媒体の記録条件設定方法。
【請求項５】
前記比較ステップで、双方の最小の消去パワーが相互に一致しないとき、又は、双方の最小の消去パワーが所定範囲内にないときに、次の消去パワー決定処理を実行する、請求項４に記載の光学情報記録媒体の記録条件設定方法。
【請求項６】
データの消去及び記録を一体的に行うオーバーライトによって記録を行う形式の光学情報記録媒体にデータを記録する際の記録条件を設定する方法において、
光学情報記録媒体にデータを記録し、該記録結果に基づいて最適記録パワーを決定するステップと、
光学情報記録媒体の記録テスト領域に、前記最適記録パワーに所定の係数（但し、係数は１以上の値）を掛けた記録パワーでテストパターンを記録するステップと、
前記記録ステップで記録されたテストパターンを複数の消去区域に区分し、該複数の消去区域のテストパターンのそれぞれを段階的に変化させた各消去パワーで消去するステップと、
前記消去ステップで消去されたテストパターンに前記所定の再生光パワーを有する再生光を照射して、前記消去区域毎に再生光の反射光量を測定するステップと、
前記測定ステップで測定された各消去区域の反射光量と、光学情報記録媒体の未記録トラックについて予め定められた反射光量との差をそれぞれ算出するステップと、
前記算出ステップで算出された差が所定の範囲内にある消去区域の消去パワーを抽出するステップと、
前記抽出ステップで抽出された消去パワーのうちで最小の消去パワーを最適消去パワーとして選定するステップとを有することを特徴とする光学情報記録媒体の記録条件設定方法。
【請求項７】
前記抽出ステップで、前記算出された差が所定の範囲内にある消去区域の消去パワーが抽出できない場合には、前記記録ステップ及び該記録ステップに後続する各ステップを繰り返し、該記録ステップに後続する消去ステップでは、消去パワーを段階的に変化させる幅をより小さな幅に変更して消去を行う、請求項６に記載の光学情報記録媒体の記録条件設定方法。
【請求項８】
データの消去及び記録を一体的に行うオーバーライトによって記録を行う形式の光学情報記録媒体にデータを記録する光学情報記録媒体記録再生装置において、
光学情報記録媒体の記録テスト領域に、テストパターンを所定の記録パワーで記録するデータ記録部と、
前記データ記録部で記録されたテストパターンを複数の消去区域に区分し、該複数の消去区域のテストパターンのそれぞれを段階的に変化させた各消去パワーで消去するデータ消去部と、
光学情報記録媒体の未記録領域と前記データ消去部で消去されたテストパターンとに再生光を照射して、前記未記録領域及び前記消去区域毎の再生光の反射光量を測定する反射光量測定部と、
前記反射光量測定部で測定された各消去区域の反射光量と、前記未記録トラックの反射光量との差をそれぞれ算出する演算部と、
前記演算部で算出された差が所定の範囲内にある消去区域の消去パワーを抽出する抽出部と、
前記抽出部で抽出された消去パワーのうちで最小の消去パワーを最適消去パワーとして選定する消去パワー選定部とを備えることを特徴とする光学情報記録媒体記録再生装置。
【請求項９】
前記抽出部が、前記算出された差が所定の範囲内にある消去区域の消去パワーを抽出できない場合には、前記データ記録部は、前記テストパターンを再度記録し、前記データ消去部は、段階的に変化させる幅をより小さな幅に変更して複数の消去パワーを選定し、該選定した複数の消去パワーで複数の消去区域のテストパターンをそれぞれ消去する、請求項８に記載の光学情報記録媒体記録再生装置。
【請求項１０】
前記光学情報記録媒体及び前記光学情報記録媒体記録再生装置の少なくとも一方には、光学情報記録媒体の記録パワーの規定値を示すデータが記憶されており、前記光学情報記録媒体又は前記光学情報記録媒体記録再生装置から読み出した記録パワーの既定値又は該規定値に所定の係数（但し、該係数は１以上の値）を掛けた値を、前記所定の記録パワーとする、請求項８又は９に記載の光学情報記録媒体記録再生装置。
【請求項１１】
データの消去及び記録を一体的に行うオーバーライトによって記録を行う形式の光学情報記録媒体にデータを記録する光学情報記録媒体記録再生装置において、
光学情報記録媒体の記録テスト領域に、テストパターンを第１の記録パワーでそれぞれ記録するデータ記録部と、
前記データ記録部で記録されたテストパターンを複数の消去区域に区分し、該複数の消去区域のテストパターンのそれぞれを段階的に変化させた各消去パワーで消去するデータ消去部と、
前記データ消去部で消去されたテストパターンに再生光を照射して、前記消去区域毎に再生光の反射光量を測定する反射光量測定部と、
前記反射光量測定部により測定された各消去区域の反射光量と、光学情報記録媒体の未記録トラックについて予め定められた反射光量との差をそれぞれ算出する演算部と、
前記演算部で算出された差が所定の範囲内にある消去区域の消去パワーを抽出する消去パワー抽出部と、
前記抽出部で抽出された消去パワーのうちで最小の消去パワーを選定する消去パワー選定部とを備え、
前記データ記録部、データ消去部、反射光量測定部、演算部、消去パワー抽出部及び消去パワー選定部が、前記テストパターンの記録から消去パワーを選定する処理までを、前記第１の記録パワーの値を増加させつつ少なくとも２回繰り返して実行した後に、２回目以降の消去パワー選定処理に後続して、前記繰り返しにおける最後の２回の消去パワー選定処理で前記消去パワー選定部により選定された双方の最小の消去パワーを相互に比較し、該比較結果に基づいて、前記双方の最小の消去パワーに基づいて最適消去パワーを決定することを特徴とする光学情報記録媒体記録再生装置。
【請求項１２】
前記比較の結果、双方の最小の消去パワーが相互に一致しないと、又は、双方の最小の消去パワーが所定範囲内にないと、前記データ記録部、データ消去部、反射光量測定部、演算部、消去パワー抽出部及び消去パワー選定部は、次のテストパターンの記録から消去パワーを選定する処理までを実行する、請求項１１に記載の光学情報記録媒体記録再生装置。
【請求項１３】
データの消去及び記録を一体的に行うオーバーライトによって記録を行う形式の光学情報記録媒体にデータを記録する光学情報記録媒体記録再生装置において、
光学情報記録媒体にデータを記録し、該記録結果に基づいて最適記録パワーを決定する最適パワー決定部と、
光学情報記録媒体の記録テスト領域に、前記最適記録パワーに所定の係数（但し、該係数は１以上の値）を掛けた記録パワーでテストパターンを記録するデータ記録部と、
前記データ記録部で記録されたテストパターンを複数の消去区域に区分し、該複数の消去区域のテストパターンのそれぞれを段階的に変化させた各消去パワーで消去するデータ消去部と、
前記データ消去部で消去されたテストパターンに所定の再生光パワーを有する再生光を照射して、前記消去区域毎に再生光の反射光量を測定する反射光量測定部と、
前記反射光量測定部測定された各消去区域の反射光量と、光学情報記録媒体の未記録トラックについて予め定められた反射光量との差をそれぞれ算出する演算部と、
前記演算部で算出された差が所定の範囲内にある消去区域の消去パワーを抽出する消去パワー抽出部と、
前記消去パワー抽出部で抽出された消去パワーのうちで最小の消去パワーを最適消去パワーとして選定する消去パワー選定部と備えることを特徴とする光学情報記録媒体記録再生装置。
【請求項１４】
前記抽出部が、前記算出された差が所定の範囲内にある消去区域の消去パワーを抽出できない場合には、前記データ記録部は、前記テストパターンを再度記録し、前記データ消去部は、段階的に変化させる幅をより小さな幅に変更して複数の消去パワーを選定し、該選定した複数の消去パワーで複数の消去区域のテストパターンをそれぞれ消去する、請求項１３に記載の光学情報記録媒体記録再生装置。
【発明の詳細な説明】
【技術分野】
【０００１】
本発明は、光学情報記録媒体記録再生装置及び記録条件設定方法に関し、更に詳しくは、書換え可能型光学情報記録媒体に記録を行う光学情報記録媒体記録再生装置、及び、そのような装置における記録条件設定方法に関する。
【背景技術】
【０００２】
光学情報記録媒体記録再生装置は、光学情報記録媒体にレーザ光を照射して、データの記録再生を行う。記録可能な光学情報記録媒体には、データを１度だけ記録できる追記型の媒体と、記録データの書換えが可能な書換え可能型の媒体とがある。書換え可能型光学情報記録媒体の上書き記録（以下オーバーライト）には、レーザーパワーが記録パワー及び消去パワーの２値、又は、記録パワー、消去パワー、及び、ボトムパワーの３値で変化するレーザービームが使用される。光学情報記録媒体に、記録パワーのレーザ光を照射すると、光学情報記録媒体の記録膜の状態が結晶状態からアモルファス状態へと変化して記録マークが形成される。また、消去パワーのレーザ光を照射すると、記録膜の状態がアモルファス状態から結晶状態へと変化して、記録済みの記録マークが消去される。
【０００３】
光学情報記録媒体記録再生装置では、データの記録に際して、記録を行う光学情報記録媒体に合った最適記録パワーＰｗｏｐｔと最適消去パワーＰｅｏｐｔとを設定する必要がある。これは、光学情報記録媒体にデータを記録する際、又は、光学情報記録媒体に記録されたデータを消去する際に、記録パワー又は消去パワーが適当でないと、例えばある記録トラックを記録（オーバーライト）する際に、その記録トラックに隣接する他のトラックの記録済みデータを僅かながら劣化（消去）させることがあるからである。
【０００４】
光学情報記録媒体に対して記録を行う際のレーザービームの最適記録パワーＰｗｏｐｔ及び最適消去パワーＰｅｏｐｔは、光学情報記録媒体の種類、記録装置、記録速度などによって異なる。このため、光学情報記録媒体記録再生装置は、記録に先立って、ＯＰＣ（Optimum Power Control）と呼ばれる記録パワーキャリブレーション動作を行い、光学情報記録媒体の種類、記録装置、記録速度などに合った最適記録パワーＰｗｏｐｔと最適消去パワーＰｅｏｐｔを設定している。
【０００５】
現在のＯＰＣ動作の代表的手法としては、以下のような方法が知られている。光学情報記録媒体には、当該光学情報記録媒体にデータを書き込む際の規定の記録パワーＰｗ０と消去パワーＰｅ０とが光学情報記録媒体の情報として記録されている。光学情報記録媒体記録再生装置は、この光学情報記録媒体の情報から規定の記録パワーＰｗ０及び消去パワーＰｅ０を読み出し、記録パワーＰｗ０及び消去パワーＰｅ０に所定の係数を乗じて、規定の記録パワーＰｗ０と消去パワーＰｅ０との比は変えずに、記録パワーＰｗ及び消去パワーＰｅをそれぞれ変化させつつ、ＰＣＡ（Power Calibration Area）に対して試し書きを行なう。その後、試し書きしたデータを読み出し、読み出した光強度の波形の上下対照性（アシンメトリ）を確認する。そして、最も上下対照性の良いときのレーザーパワーを、その光学情報記録媒体の最適なレーザーパワー値として設定する。
【０００６】
上記従来の手法では、標準値として与えられる記録パワーと消去パワーとの比が、ヘッド条件などによらず一定であることを前提としている。しかしながら、ヘッドと光学情報記録媒体との組み合わせにおける最適記録パワーＰｗｏｐｔと最適消去パワーＰｅｏｐｔとの比と、光学情報記録媒体上の情報として記録されている規定の記録パワーＰｗ０と消去パワーＰｅ０との比とが大きく異なっている場合が存在する。このため、従来のＯＰＣ動作によって最適記録パワー及び最適消去パワーを見つけ出す場合には、消去パワーをヘッドと光学情報記録媒体の組み合わせにおける最適消去パワーＰｅｏｐｔに合せると、記録パワーが最適記録パワーＰｗｏｐｔから大きく外れ、逆に、記録パワーをヘッドと光学情報記録媒体との組み合わせにおける最適記録パワーＰｅｏｐｔに合せると、消去パワーが最適消去パワーＰｅｏｐｔから大きく外れることとなる。
【０００７】
ＯＰＣ動作としては、記録パワーＰｗと消去パワーＰｅとを組み合わせ、この組み合わせを変化させて最適記録パワーＰｗｏｐｔと最適消去パワーＰｅｏｐｔを設定する方法もある。しかし、この場合には、その組み合わせの数が多くなれば、ＯＰＣ動作に要する時間が長くなるという問題がある。
【０００８】
ここで、消去パワーを設定する手法としては、消去率を測定し、その消去率に基づいて、消去パワーを決定する手法がある。消去率は、例えば、光学情報記録媒体に単一周期のマーク・スペースを記録し、その記録したマーク・スペースの再生信号をスペクトラムアナライザを用いて信号対雑音比を測定し、このときに信号のキャリアと、記録箇所に連続光を照射して消去した場合の信号のキャリアとのレベル差を測ることによって測定できる。しかし、消去率を求めるには、スペクトラムアナライザ等の特殊な測定装置を必要とし、消去率を、光学情報記録媒体記録再生装置単体で測定することは不可能である。
【０００９】
光学情報記録媒体記録装置において、消去パワーを決定する技術としては、特許文献１に記載された技術がある。この技術では、まず、ＰＣＡを複数の消去パワーで消去し、その消去後のＰＣＡからの再生信号のＤＣ電圧値を計測する。その後、計測したＤＣ電圧値と、消し残しを起こさない消去パワーで消去した際のＤＣ電圧の下限値βと比較し、計測したＤＣ電圧値が、下限値βよりも大きいと判断すると、そのときの消去パワーを最適消去パワーとして決定する。特許文献１では、このようにすることで、特殊な測定装置を必要とせずに最適消去パワーを決定できる。
【００１０】
【特許文献１】特開平10-134389号公報
【発明の開示】
【発明が解決しようとする課題】
【００１１】
特許文献１では、消去後の再生信号のＤＣ電圧値を、あらかじめ定めた電圧値βと比較することにより、消し残しなく消去が行われたか否かを判定している。このため、例えば媒体や光学情報記録媒体記憶再生装置の光学系の経年劣化等により、実際の未記録トラックに再生光を照射した際に計測される反射光量と、あらかじめ想定した反射光量との間に誤差があるときには、最適消去パワーが決定できない、或いは、決定された最適消去パワーと実際の最適消去パワーとの間に誤差が生じるという問題が発生することも考えられる。
【００１２】
次に、特許文献１において、最適消去パワーの決定処理において消去される領域を記録する際の記録パワーが、実際の最適記録パワーよりも低い場合について考える。この場合には、ＰＣＡを消去パワーを変化させて消去する際には、記録マークが十分に形成されていない領域を消去することとなる。このように、記録マークが十分に形成されていない領域を消去する場合には、実際の最適消去パワーよりも低い消去パワーが最適消去パワーとして決定されることとなり、実際の最適消去パワーとの間に誤差が生じるという問題がある。
【００１３】
本発明は、上記従来技術の問題点を解消し、経年変化等により、光学情報記録媒体から計測される反射光量が変化した際にも、スペクトラムアナライザ等を用いることなく、簡易に、最適消去パワーを設定可能な光学情報記録媒体記録再生装置及び記録条件設定方法を提供することを目的とする。
【００１４】
また、本発明は、記録時の記録パワーが実際の最適記録パワーよりも低いことにより、決定された最適消去パワーと実際の最適消去パワーとが一致しない事態を回避できる光学情報記録媒体記録再生装置及び記録条件設定方法を提供することを目的とする。
【課題を解決するための手段】
【００１５】
上記目的を達成するために、本発明の第１の視点の光学情報記録媒体の記録条件設定方法は、データの消去及び記録を一体的に行うオーバーライトによって記録を行う形式の光学情報記録媒体にデータを記録する際の記録条件を設定する方法において、光学情報記録媒体の未記録領域に所定の再生光パワーを有する再生光を照射して該未記録領域からの反射光量を測定するステップと、光学情報記録媒体の記録テスト領域に、テストパターンを所定の記録パワーで記録するステップと、前記記録ステップで記録されたテストパターンを複数の消去区域に区分し、該複数の消去区域のテストパターンのそれぞれを段階的に変化させた各消去パワーで消去するステップと、前記消去ステップで消去されたテストパターンに前記所定の再生光パワーを有する再生光を照射して、前記消去区域毎に再生光の反射光量を測定するステップと、各消去区域で測定された反射光量と、前記未記録トラックからの反射光量との差をそれぞれ算出するステップと、前記算出された差が所定の範囲内にある消去区域の消去パワーを抽出するステップと、前記抽出された消去パワーのうちで最小の消去パワーを最適消去パワーとして選定するステップとを有することを特徴とする。
【００１６】
本発明の第１の視点の光学情報記録媒体記録再生装置は、データの消去及び記録を一体的に行うオーバーライトによって記録を行う形式の光学情報記録媒体にデータを記録する記録再生装置において、光学情報記録媒体の記録テスト領域に、テストパターンを所定の記録パワーで記録するデータ記録部と、前記データ記録部で記録されたテストパターンを複数の消去区域に区分し、該複数の消去区域のテストパターンのそれぞれを段階的に変化させた各消去パワーで消去するデータ消去部と、光学情報記録媒体の未記録領域と前記データ消去部で消去されたテストパターンとに再生光を照射して、前記未記録領域及び前記消去区域毎の再生光の反射光量を測定する反射光量測定部と、前記反射光量測定部で測定された各消去区域の反射光量と、前記未記録トラックの反射光量との差をそれぞれ算出する演算部と、前記演算部で算出された差が所定の範囲内にある消去区域の消去パワーを抽出する抽出部と、前記抽出部で抽出された消去パワーのうちで最小の消去パワーを最適消去パワーとして選定する消去パワー選定部とを備えることを特徴とする。
【００１７】
本発明の第１の視点の光学情報記録媒体の記録条件設定方法及び光学情報記録媒体記録再生装置では、光学情報記録媒体に再生光を照射して未記録領域からの反射光量を取得し、これと、テストパターンを段階的に変化させた消去パワーで消去した各消去区域の反射光量とを比較して最適消去パワーを決定する。このようにすることで、経年変化等により、光学情報記録媒体から計測される反射光量が変化した際にも、消去率を用いて最適消去パワーを決定する場合と同様の消去パワーを、最適消去パワーとして決定できる。また、本発明では、消去区域の反射光量に基づいて最適消去パワーを決定するため、光学情報記録媒体記録再生装置単体で最適消去パワーの決定が可能であり、スペクトラムアナライザ等を用いて測定する必要がある消去率に基づいて最適消去パワーを決定する場合に比して、簡易に、最適消去パワーを決定できる。
【００１８】
本発明の第１の視点の光学情報記録媒体の記録条件設定方法では、前記抽出ステップで、前記算出された差が所定の範囲内にある消去区域の消去パワーが抽出できない場合には、前記記録ステップ及び該記録ステップに後続する各ステップを繰り返し、該記録ステップに後続する消去ステップでは、消去パワーを段階的に変化させる幅をより小さな幅に変更して消去を行う構成を採用できる。また、本発明の第１の視点の光学情報記録媒体記録再生装置では、前記抽出部が、前記算出された差が所定の範囲内にある消去区域の消去パワーを抽出できない場合には、前記データ記録部は、前記テストパターンを再度記録し、前記データ消去部は、段階的に変化させる幅をより小さな幅に変更して複数の消去パワーを選定し、該選定した複数の消去パワーで複数の消去区域のテストパターンをそれぞれ消去する構成できる。この場合、消去パワーの変化幅を狭く設定することで、算出された差が、所定の範囲内にある消去区域の消去パワーを抽出することができる。範囲を狭くする際には、例えば横軸を消去パワーとし縦軸を消去区域としたグラフにおいて、そのグラフの微分係数（傾き）の正負が反転する消去パワーを含む範囲を、消去パワーの変化範囲として選択することができる。
【００１９】
本発明の第１の視点の光学情報記録媒体の記録条件設定方法及び光学情報記録媒体記録再生装置では、前記光学情報記録媒体及び記録再生装置の少なくとも一方には、光学情報記録媒体の記録パワーの規定値を示すデータが記憶されており、前記光学情報記録媒体又は前記記録再生装置から読み出した記録パワーの既定値又は該規定値に所定の係数（但し、該係数は１以上の値）を掛けた値を、前記所定の記録パワーとする構成を採用できる。例えば、光学情報記録媒体に、規定の記録パワーが記録されているときには、その規定の記録パワーを、テストパターンを記録する際の所定の記録パワーとして使用することができる。また、ｋを１以上の値を有する係数として、ｋ×規定の記録パワーを、所定の記録パワーとして使用できる。係数ｋとして、１よりも大きい値を採用する場合には、テストパターンの記録を、実際の最適記録パワーよりも大きな記録パワーで行うことができる。
【００２０】
本発明の第２の視点の光学情報記録媒体の記録条件設定方法は、データの消去及び記録を一体的に行うオーバーライトによって記録を行う形式の光学情報記録媒体にデータを記録する際の記録条件を設定する方法において、光学情報記録媒体の記録テスト領域に、テストパターンを第１の記録パワーでそれぞれ記録する第１ステップと、前記記録ステップで記録されたテストパターンを複数の消去区域に区分し、該複数の消去区域のテストパターンのそれぞれを段階的に変化させた各消去パワーで消去する第２ステップと、前記消去ステップで消去されたテストパターンに再生光を照射して、前記消去区域毎に再生光の反射光量を測定する第３ステップと、各消去区域毎に測定された反射光量と、光学情報記録媒体の未記録トラックについて予め定められた反射光量との差をそれぞれ算出する第４ステップと、前記算出された差が所定の範囲内にある消去区域の消去パワーを抽出する第５ステップと、前記第５ステップで抽出された消去パワーのうちで最小の消去パワーを選択する第６ステップとを含む消去パワー決定処理を、前記第１の記録パワーの値を増加させつつ、少なくとも２回繰り返し、２回目以降の消去パワー決定処理の終了に後続し、最後の２つの消去パワー決定処理の第６ステップで選択された双方の最小の消去パワーを相互に比較するステップと、前記比較ステップでの比較結果に基づいて、前記双方の最小の消去パワーに基づいて最適消去パワーを決定するステップを更に有することを特徴とする。
【００２１】
本発明の第２の視点の光学情報記録媒体記録再生装置は、データの消去及び記録を一体的に行うオーバーライトによって記録を行う形式の光学情報記録媒体にデータを記録する光学情報記録媒体記録再生装置において、光学情報記録媒体の記録テスト領域に、テストパターンを第１の記録パワーでそれぞれ記録するデータ記録部と、前記データ記録部で記録されたテストパターンを複数の消去区域に区分し、該複数の消去区域のテストパターンのそれぞれを段階的に変化させた各消去パワーで消去するデータ消去部と、前記データ消去部で消去されたテストパターンに再生光を照射して、前記消去区域毎に再生光の反射光量を測定する反射光量測定部と、前記反射光量測定部により測定された各消去区域の反射光量と、光学情報記録媒体の未記録トラックについて予め定められた反射光量との差をそれぞれ算出する演算部と、前記演算部で算出された差が所定の範囲内にある消去区域の消去パワーを抽出する消去パワー抽出部と、前記抽出部で抽出された消去パワーのうちで最小の消去パワーを選定する消去パワー選定部とを備え、前記データ記録部、データ消去部、反射光量測定部、演算部、消去パワー抽出部及び消去パワー選定部が、前記テストパターンの記録から消去パワーを選定する処理までを、前記第１の記録パワーの値を増加させつつ少なくとも２回繰り返して実行した後に、２回目以降の消去パワー選定処理に後続して、前記繰り返しにおける最後の２回の消去パワー選定処理で前記消去パワー選定部により選定された双方の最小の消去パワーを相互に比較し、該比較結果に基づいて、前記双方の最小の消去パワーに基づいて最適消去パワーを決定することを特徴とする。
【００２２】
本発明の第２の視点の光学情報記録媒体の記録条件設定方法及び光学情報記録媒体記録再生装置では、記録パワーを増加させて、少なくとも２回、あらかじめ定められた未記録領域の反射光量との差が所定の範囲となる消去パワーのうちで最小の消去パワーを選定する処理を繰り返し実行し、繰り返しのうちの最後の２回において選定された最小の消去パワー同士を相互に比較して、最適消去パワーを決定する。このようにすることで、テストパターンの記録を、実際の最適記録パワー以上の記録パワーで行うことが可能となり、十分な記録パワーで記録を行って最適消去パワーを決定することにより、消去率を用いて最適消去パワーを決定する場合と同様の消去パワーを、最適消去パワーとして決定できる。
【００２３】
本発明の第２の視点の光学情報記録媒体の記録条件設定方法では、前記比較ステップで、双方の最小の消去パワーが相互に一致しないとき、又は、双方の最小の消去パワーの差が所定範囲内にないときに、次の消去パワー決定処理を実行することが好ましい。また、本発明の第２の視点の光学情報記録媒体記録再生装置では、前記比較の結果、双方の最小の消去パワーが相互に一致しないと、又は、双方の最小の消去パワーの差が所定範囲内にないと、前記データ記録部、データ消去部、反射光量測定部、演算部、消去パワー抽出部及び消去パワー選定部は、次のテストパターンの記録から消去パワーを選定する処理までを実行することが好ましい。この場合、選定された最小の消去パワーの双方が一致するまで、或いは、差が所定の範囲内に収まるまで、最小の消去パワーの選定の処理を繰り返し行うことにより、テストパターンの記録を実際の最適記録パワー以上の記録パワーで行うことができ、その状態のときに選定された最小の消去パワーを、最適消去パワーとして決定することができる。
【００２４】
本発明の第３の視点の光学情報記録媒体の記録条件設定方法は、データの消去及び記録を一体的に行うオーバーライトによって記録を行う形式の光学情報記録媒体にデータを記録する際の記録条件を設定する方法において、光学情報記録媒体にデータを記録し、該記録結果に基づいて最適記録パワーを決定するステップと、光学情報記録媒体の記録テスト領域に、前記最適記録パワーに所定の係数（但し、係数は１以上の値）を掛けた記録パワーでテストパターンを記録するステップと、前記記録ステップで記録されたテストパターンを複数の消去区域に区分し、該複数の消去区域のテストパターンのそれぞれを段階的に変化させた各消去パワーで消去するステップと、前記消去ステップで消去されたテストパターンに前記所定の再生光パワーを有する再生光を照射して、前記消去区域毎に再生光の反射光量を測定するステップと、前記測定ステップで測定された各消去区域の反射光量と、光学情報記録媒体の未記録トラックについて予め定められた反射光量との差をそれぞれ算出するステップと、前記算出ステップで算出された差が所定の範囲内にある消去区域の消去パワーを抽出するステップと、前記抽出ステップで抽出された消去パワーのうちで最小の消去パワーを最適消去パワーとして選定するステップとを有することを特徴とする。
【００２５】
本発明の第３の視点の光学情報記録媒体記録再生装置は、データの消去及び記録を一体的に行うオーバーライトによって記録を行う形式の光学情報記録媒体にデータを記録する光学情報記録媒体記録再生装置において、光学情報記録媒体にデータを記録し、該記録結果に基づいて最適記録パワーを決定する最適パワー決定部と、光学情報記録媒体の記録テスト領域に、前記最適記録パワーに所定の係数（但し、係数は１以上の値）を掛けた記録パワーでテストパターンを記録するデータ記録部と、前記データ記録部で記録されたテストパターンを複数の消去区域に区分し、該複数の消去区域のテストパターンのそれぞれを段階的に変化させた各消去パワーで消去するデータ消去部と、前記データ消去部で消去されたテストパターンに所定の再生光パワーを有する再生光を照射して、前記消去区域毎に再生光の反射光量を測定する反射光量測定部と、前記反射光量測定部測定された各消去区域の反射光量と、光学情報記録媒体の未記録トラックについて予め定められた反射光量との差をそれぞれ算出する演算部と、前記演算部で算出された差が所定の範囲内にある消去区域の消去パワーを抽出する消去パワー抽出部と、前記消去パワー抽出部で抽出された消去パワーのうちで最小の消去パワーを最適消去パワーとして選定する消去パワー選定部と備えることを特徴とする。
【００２６】
本発明の第３の視点の光学情報記録媒体の記録条件設定方法及び光学情報記録媒体記録再生装置では、最適消去パワーの決定に先立って、光学情報記録媒体に例えばオーバーライトなしで記録を行ってその記録領域からの反射光量を測定することで最適記録パワーを決定し、その最適記録パワーに所定の係数ｋ（ｋ≧１）を掛けた記録パワーでテストパターンの記録を行う。このようにすることで、テストパターンの記録を、実際の最適記録パワー以上の記録パワーで行うことができ、十分な記録パワーで記録を行って最適消去パワーを決定することにより、消去率を用いて最適消去パワーを決定する場合と同様の消去パワーを、最適消去パワーとして決定できる。
【００２７】
本発明の第３の視点の光学情報記録媒体の記録条件設定方法では、前記抽出ステップで、前記算出された差が所定の範囲内にある消去区域の消去パワーが抽出できない場合には、前記記録ステップ及び該記録ステップに後続する各ステップを繰り返し、該記録ステップに後続する消去ステップでは、消去パワーを段階的に変化させる幅をより小さな幅に変更して消去を行う構成を採用できる。また、本発明の第３の視点の光学情報記録媒体記録再生装置では、前記抽出部が、前記算出された差が所定の範囲内にある消去区域の消去パワーを抽出できない場合には、前記データ記録部は、前記テストパターンを再度記録し、前記データ消去部は、段階的に変化させる幅をより小さな幅に変更して複数の消去パワーを選定し、該選定した複数の消去パワーで複数の消去区域のテストパターンをそれぞれ消去する構成を採用できる。この場合、消去パワーの変化幅を狭く設定することで、算出された差が、所定の範囲内にある消去区域の消去パワーを抽出することができる。範囲を狭くする際には、例えば横軸を消去パワーとし縦軸を消去区域としたグラフにおいて、そのグラフの微分係数（傾き）の正負が反転する消去パワーを含む範囲を、消去パワーの変化範囲として選択することができる。
【発明の効果】
【００２８】
本発明の第１の視点の光学情報記録媒体記録再生装置及び記録条件設定方法は、光学情報記録媒体に再生光を照射して測定した未記録領域からの反射光量と、各消去区域の反射光量とに基づいて、最適消去パワーを決定しているため、経年変化等で、光学情報記録媒体から測定される反射光量が変化した場合でも、スペクトラムアナライザ等を用いることなく、簡易に、最適消去パワーを設定することができる。また、本発明の第２及び第３の視点の光学情報記録媒体記録再生装置及び記録条件設定方法では、テストパターンの記録を、実際の最適記録パワー以上の記録パワーで行って最適消去パワーを決定しているため、消去率を最小とする消去パワーを、最適消去パワーとして決定できる。
【発明を実施するための最良の形態】
【００２９】
以下、図面を参照し、本発明の実施の形態を詳細に説明する。図１は、本発明の第１実施形態の光学情報記録媒体記録再生装置の要部を示している。光学情報記録媒体記録再生装置１０は、レーザ１１、ビームスプリッタ（ＢＳ）１２、反射ミラー１４、対物レンズ１５、ＬＤドライバ（ＬＤＤ）２１、及び、光検出器（ＰＤ）２０を含む光学系と、電流／電圧変換器（Ｉ／Ｖ）２４、制御部（ＭＰＵ）３０、可変ゲインアンプ（ＶＧＡ  ＥＱ）３３、スライサー３４、及び、ＳＵＭ判定回路４０を含む駆動制御系とを備える。なお、以下では、光学情報記録媒体１６として、記録状態の反射率が、未記録状態の反射率よりも高くなるＬｔｏＨ（Low to High）媒体を用いる。
【００３０】
ＬＤドライバ２１は、制御部３０からの指示に基づいて、消去モード、記録モード、及び、再生モードの何れかのモードにセットされる。ＬＤドライバ２１は、電流Ｉｏｕｔを出力し、セットされたモードに応じて、レーザ１１に、そのモードのレーザーパワーのレーザ光を出力させる。レーザ１１から出射された光は、光ピックアップ手段を構成するビームスプリッタ１２より分離され、一部が反射ミラー１４及び対物レンズ１５を介して光学情報記録媒体１６の記録面上に照射される。
【００３１】
光学情報記録媒体１６で反射されたレーザ光は、ビームスプリッタ１２を介して信号再生用の光検出器２０に入射する。光検出器２０は、四分割された光検出素子で構成されており、各光検出素子で検出された光検出信号は、複数のサーボ信号を生成する電流／電圧変換器２４に供給される。図１では、電流／電圧変換器２４は、フォーカスエラー信号ＦＥＳ、トラッキングエラー信号ＴＥＳ、及び、４つの光検出素子による光検出信号のすべてを加算した合成信号ＳＵＭを生成する。
【００３２】
合成信号ＳＵＭは、光学情報記録媒体１６で反射された全反射光量を示している。光学情報記録媒体記録再生装置１０では、光学情報記録媒体１６のレーザ光がトラッキング方向及びフォーカス方向に対して集光されるように、フォーカスエラー信号ＦＥＳ、トラッキングエラー信号ＴＥＳ、及び、合成信号ＳＵＭを利用してトラッキングサーボ及びフォーカスサーボがかけられる。合成信号ＳＵＭは、可変ゲインアンプ３３によって、その振幅が最適化され、等価フィルターを通してからスライサー３４に供給される。合成信号ＳＵＭは、スライサー３４により、基準電圧３５でスライスされることによって２値化（デジタル化）される。
【００３３】
光学情報記録媒体１６にデータを記録する場合、ＬＤドライバ２１は、ホスト側から記録すべきデータや記録すべきアドレス情報を受け取る。記録すべきアドレスをレーザ光が走査しているとき、図示しないゲート信号発生器からそのタイミング信号（ライトゲート）ＷＧが出力され、これに同期してライトデータＷＤと、データ同期用クロックであるライトクロック信号ＷＣとがそれぞれＬＤドライバ２１に供給される。ＬＤドライバ２１は、記録データを記録電流Ｉｏｕｔに変換し、これをレーザ１１に入力する。レーザ１１は、記録電流Ｉｏｕｔで変調され、変調されたレーザ光が照射されることで、光学情報記録媒体１６上にマークが形成される。
【００３４】
図２は、記録を行う際のレーザ変調波形（光パルス列）の一例を示している。記録パルスは、先頭パルスＰ１と、これに後続するマルチパルスＰ２〜Ｐ４との２つの部分から構成されている。同図において、消去パワーＰｅは、再生時のレーザーパワーよりもパワーが高く、記録パワーＰｗよりも低い。記録された信号を消去するのみの場合には、記録パワーＰｗを有するパルスの照射は不要であり、消去パワーＰｅを直流的に照射するのみで消去が行なわれる。
【００３５】
図３は、光学情報記録媒体記録再生装置における消去パワーの選定の手順をフローチャートで示している。光学情報記録媒体記録再生装置１０は、光学情報記録媒体１６に記録されている光学情報記録媒体情報から、記録パワーの規定値Ｐｗ０を読み出し、記録パワーＰｗを、その規定値Ｐｗ０に設定し、消去パワーＰｅを、その規定値Ｐｗ０の１／２に設定する（ステップＡ０１）。光学情報記録媒体記録再生装置１０は、例えば光学情報記録媒体１６から、記録パワーの規定値Ｐｗ０＝３．１ｍＷを読み出し、記録パワーＰｗを３．１ｍＷに、消去パワーＰｅを１．５５ｍＷに設定する。
【００３６】
光学情報記録媒体記録再生装置１０は、光学情報記録媒体１６に再生光を照射して、未記録トラックの反射光量に対応する信号レベルを取得する（ステップＡ０２）。光学情報記録媒体記録再生装置１０は、後に、記録した領域を消去パワーを変化しつつ消去する際の消去パワーの変化範囲を設定する（ステップＡ０３）。ステップＡ０３では、例えば記録パワーの既定値Ｐｗ０が３．１ｍＷであれば、その１／２の値を含む範囲として、１．３ｍＷ〜４．７ｍＷを消去パワーの変化範囲として設定する。
【００３７】
光学情報記録媒体記録再生装置１０は、光学情報記録媒体１６に対して、ステップＡ０１で設定した記録パワーＰｗ及び消去パワーＰｅで、所定の領域に、所定パターン又はランダムパターンで記録を行う（ステップＡ０４）。ステップＡ０４では、例えばシンクフレーム単位で記録を行う。光学情報記録媒体記録再生装置１０は、ステップＡ０４で記録された記録区間を複数の消去区域に分割し、各消去区域を、ステップＡ０３で設定した変化範囲内で段階的に変化させた消去パワーの直流的な消去レーザ光により消去する（ステップＡ０５）。
【００３８】
光学情報記録媒体記録再生装置１０は、ステップＡ０５で消去した消去区域に、再生光を照射して、各消去パワーについて、消去後の各区域における反射光量に対応する信号レベルを測定する（ステップＡ０６）。その後、ＳＵＭ判定回路４０によって、ステップＡ０２で取得した未記録トラックの反射光量に対応する信号レベルと、各消去区域における反射光量に対応する信号レベルとの差が、あらかじめ定められた所定範囲内となる消去区域の消去パワーを抽出する（ステップＡ０７）。ステップＡ０７では、例えば差が０．０５Ｖ以内となる消去パワーを抽出する。
【００３９】
光学情報記録媒体記録再生装置１０は、ステップＡ０７で差が所定範囲内となる消去パワーが抽出できたか否か、言い換えれば、消去区域における反射光量に対応する信号レベルと光学情報記録媒体１６の未記録の記録トラックからの反射光量に対応する信号レベルとの差が、あらかじめ定められた範囲内に入る消去パワーが存在するか否かを判断する（ステップＡ０８）。抽出できなかった判断したときには、消去パワーの変化範囲を前回の消去パワーの変化範囲よりも狭く設定して（ステップＡ０９）、ステップＡ０４に戻る。
【００４０】
ステップＡ０９では、例えば、横軸を消去パワーとし、縦軸を信号レベルの差としたグラフにおいて、消去パワーを増加させた際の微分係数が負から正に変化する消去パワーを含む範囲を含む範囲を消去パワーの変化範囲として設定する。また、消去区域ごとの消去パワーの変化幅を前回よりも狭くして、消去パワーの変化範囲を、前回の変化範囲よりも狭く設定する。このようにすることにより、信号レベルの差が所定範囲内となる消去パワー付近が細分化され、細かく調査されることになる。
【００４１】
光学情報記録媒体記録再生装置１０は、ステップＡ０７で信号レベルの差が所定範囲内となる消去パワーが抽出されるまで、ステップＡ０４〜Ａ０９を繰り返し行う。信号レベルの差が所定範囲内となる消去パワーが抽出されると、光学情報記録媒体記録再生装置１０は、ステップＡ０７で抽出された消去パワーのうちで、最小の消去パワーを、最適消去パワーとして選定する（ステップＡ１０）。その後、消去パワーを最適消去パワーとして、アシンメトリ値を測定する等により、最適記録パワーを決定する。
【００４２】
図４は、消去パワーと、消去区域における反射光に対応する信号レベル及び消去率との関係を示している。ステップＡ０６で、各消去パワーについて、その消去パワーで消去した区域を再生し、再生信号の信号レベルを測定すると、信号レベルは、同図中にグラフ（ａ）で示すように変化する。この場合、ステップＡ０２で測定された未記録トラックの反射光量に対応する信号レベルが２．８Ｖとすれば、ステップＡ０７では、その信号レベル２．８Ｖとの間の差が０．０５以内となる消去パワーとして、消去パワー１．８ｍＷ〜２．４ｍＷが抽出される。ステップＡ０８では、これらのうちで最小の消去パワー１．８ｍＷが、最適消去パワーとして選定される。
【００４３】
一方、スペクトラムアナライザを用いて、各消去パワーについて、その消去パワーで消去した区域の消去率を測定すると、消去率は、同図中にグラフ（ｂ）で示すように変化する。この場合、消去率に基づいて消去パワーを選定すると、グラフ（ｂ）において消去率が極大値となる１．８ｍＷが選定される。このように、図３に示す手順に従って選定された最適消去パワーは、消去率が最大となる消去パワーと一致する。
【００４４】
本実施形態では、光学情報記録媒体１６上に記録されている光学情報記録媒体情報の記録パワーで記録を行い、その記録区間を、消去パワーを変化させつつ消去し、各消去区域を再生して、各消去区域における反射光量をモニターすることで、消去パワーを選定する。このようにして選定した消去パワーは、消去率が最大となる消去パワーと一致しており、本実施形態では、スペクトラムアナライザ等の特殊な機器を用いなくとも、消去率が高い消去パワーを、最適消去パワーとして選定できる。また、未記録トラックの反射光量に対応する信号レベルを測定し、その信号レベルと、各消去区域の反射光量に対応する信号レベルとを比較しているため、経年変化等により、未記録トラックの反射光量に対応する信号レベルに変化が生じた場合でも、正しく、最適消去パワーを設定できる。
【００４５】
図５は、本発明の第２実施形態の光学情報記録媒体記録再生装置における消去パワーの選定の手順をフローチャートで示している。本実施形態の光学情報記録媒体記録再生装置は、図１に示す第１実施形態の光学情報記録媒体記録再生装置１０と同様な構成を有する。本実施形態では、光学情報記録媒体１６に、記録パワーの規定値Ｐｗ０が記録されていない点で、第１実施形態と相違する。本実施形態では、所定の記録パワーを初期値として記録パワーを変化させ、記録パワーが実際の記録パワーを超えたか否かを判断し、記録パワーが実際の最適記録パワーを超えた状態で記録を行って最適消去パワーを決定する。
【００４６】
光学情報記録媒体記録再生装置１０は、記録パワーＰｗを、あらかじめ定められた所定のパワーＰｗ１に設定する（ステップＢ０１）。ステップＢ０１では、例えば光学情報記録媒体記録再生装置に、光学情報記録媒体１６に対応付けて記憶された所定パワー２．９ｍＷが記録パワーＰｗに設定される。その後、その設定した記録パワーＰｗ１にて消去パワー決定処理を行う（ステップＢ０２）。図６は、消去パワー決定処理の詳細を示している。この処理では、光学情報記録媒体記録再生装置１０は、まず、消去パワーＰｅを、記録パワーＰｗの１／２に設定する（ステップＣ０１）。次いで、図３のステップＡ０３と同様に、消去パワーの変化範囲を設定する（ステップＣ０２）。
【００４７】
光学情報記録媒体記録再生装置１０は、ステップＡ０４（図３）と同様に、設定した記録パワーＰｗ及び消去パワーＰｅで、光学情報記録媒体１６に対して記録を行う（ステップＣ０３）。その後、ステップＡ０５と同様に、ステップＣ０３で記録された記録区間を、ステップＣ０２で設定した変化範囲内で段階的に変化させた消去パワーの直流的な消去レーザ光により消去する（ステップＣ０４）。
【００４８】
光学情報記録媒体記録再生装置１０は、ステップＡ０６と同様に、各消去パワーについて、消去後の各区域における反射光量に対応する信号レベルを測定し（ステップＣ０５）、消去区域における反射光量に対応する信号レベルと、あらかじめ定めた光学情報記録媒体１６の未記録の記録トラックからの反射光量に対応する信号レベルとの差が、所定の範囲内となる消去パワーを抽出する（ステップＣ０６）。光学情報記録媒体記録再生装置１０は、ステップＡ０８と同様に、消去パワーが抽出できたか否かを判断し（ステップＣ０６）、抽出できなかったときには、ステップＡ０９と同様に、消去パワーの変化範囲を前回の範囲よりも狭く設定する（ステップＣ０７）。
【００４９】
光学情報記録媒体記録再生装置１０は、ステップＣ０５で信号レベルの差が所定範囲内となる消去パワーが抽出されるまで、ステップＣ０３〜Ｃ０７を繰り返し行う。信号レベルの差が所定範囲内となる消去パワーが抽出されると、光学情報記録媒体記録再生装置１０は、抽出された消去パワーのうちで、最小の消去パワーを選択する（ステップＣ０８）。ステップＣ０８で、消去パワーが選択されると、消去パワー設定処理は終了し、ステップＣ０８で選択された消去パワーが返却される。
【００５０】
図５に戻り、光学情報記録媒体記録再生装置１０は、ステップＢ０２で、記録パワーをＰｗ１としたときの消去パワー決定処理のステップＣ０８で選択された消去パワーを、消去パワーＰｅ１として記憶する。記録パワーＰｗにて消去パワー決定処理を行った後、光学情報記録媒体記録再生装置１０は、記録パワーＰｗを、所定のパワーΔＰｗだけ増加させる（ステップＢ０３）。ステップＢ０３では、例えば所定パワーΔＰｗを０．２として、記録パワーＰｗを２．９ｍＷから３．１ｍＷに増加させる。その後、増加させた記録パワーにて消去パワー決定処理を行い（ステップＢ０４）、消去パワー決定処理から返却された消去パワーを、消去パワーＰｅ１’として記憶する。
【００５１】
光学情報記録媒体記録再生装置１０は、ステップＢ０２で記憶した消去パワーＰｅ１と、ステップＢ０４で記憶した消去パワーＰｅ１’とを比較し、記録パワーの増加の前後で、消去パワーに変化が生じたか否かを判断する（ステップＢ０５）。ステップＢ０５では、Ｐｅ１とＰｅ１’とが一致し、或いは、差が所定誤差の範囲内であるとき、記録パワーの増加の前後で消去パワー決定処理により決定された消去パワーに変化が生じていないと判断する。光学情報記録媒体記録再生装置１０は、ステップＢ０５で変化が生じたと判断したときには、現在の消去パワーＰｅ１’をＰｅ１に代入し（ステップＢ０６）、ステップＢ０３に戻って、記録パワーＰｗを増加させて消去パワー決定処理を行う。ステップＢ０５で、記録パワーの増加の前後で消去パワーＰｅ１とＰｅ１’とに変化が生じないと判断されると、光学情報記録媒体記録再生装置１０は、その消去パワーＰｅ１を、最適消去パワーに設定する（ステップＢ０７）。ステップＢ０７では、消去パワーＰｅ１’を最適消去パワーとしてもよい。或いは、Ｐｅ１とＰｅ１’の平均値を、最適消去パワーとしてもよい。
【００５２】
ここで、図７は、消去パワーと、消去区域における反射光に対応する信号レベル及び消去率との関係を示している。同図において、グラフ（ａ）〜（ｄ）は、それぞれ、記録パワーＰｗ１１〜Ｐｗ１４で記録後に消去を行った場合の反射光量に対応する信号レベルと消去パワーとの関係を示し、グラフ（ｅ）は、消去率と消去パワーとの関係を示している。同図では、未記録トラックからの反射光量に対応する信号レベルは２．８Ｖである。また、各記録パワーの関係は、光学情報記録媒体１６の実際の最適記録パワーをＰｗｏｐｔとして、Ｐｗ１１＜Ｐｗ１２＜Ｐｗｏｐｔ≦Ｐｗ１３＜Ｐｗ１４である。
【００５３】
記録パワーをＰｗ１１として消去パワー決定処理を行うと、ステップＣ０８では、信号レベルの差が所定範囲内となる消去パワーのうちで最小の消去パワーとして、１．５ｍＷが選択される（図７グラフ（ａ））。また、記録パワーをＰｗ１２に増加して消去パワー決定処理を行うと、ステップＣ０８では、１．７ｍＷが選択される（図７グラフ（ｂ））。このように、記録パワーの増加の前後において、記録パワーが実際の最適記録パワーを超えていないときには、ステップＣ０８で選択される消去パワーに変化が生じる。このように、記録パワーの増加の前後で消去パワー決定処理により選択（決定）された消去パワーに変化が生じている場合には、光学情報記録媒体記録再生装置１０は、記録パワーが、まだ実際の最適記録パワー以上となっていないと判断して、ステップＢ０６で、記録パワー変化前の消去パワーＰｅ１’をＰｅ１に代入して保存し、ステップＢ０３に戻り記録パワーを増加して、消去パワー決定処理を行う。
【００５４】
記録パワーをＰｗ１３として消去パワー決定処理を行うと、ステップＣ０８では、１．９ｍＷが選択される（図７グラフ（ｃ））。また、記録パワーをＰｗ１４として消去パワー決定処理を行うと、ステップＣ０８では、１．９ｍＷが選択される（図７グラフ（ｄ））。このように、記録パワーの増加の前後において、記録パワーが共に実際の最適値以上となっているときには、ステップＣ０８で選択される消去パワーが同じ値となる。このとき選択された消去パワーは、消去率（グラフ（ｅ））が最大となる消去パワーと一致する。このため、この消去パワーを最適消去パワーとすることで、消去パワーを消去率が最大となる値に設定できる。
【００５５】
記録パワーが実際の最適記録パワーよりも低い場合には、記録が弱く、記録マークがしっかりと形成されない。このような弱い記録に対して消去を行って最適消去パワーを決定しても、決定された最適消去パワーは、消去率が最大となる消去パワーに一致しない。本実施形態では、記録パワーの増加の前後において、消去パワー決定処理により決定された消去パワーを相互に比較して、記録パワーが実際の最適記録パワー以上となったことを確認し、記録パワーが実際の最適記録パワー以上であるときに消去パワー決定処理で決定された消去パワーを、最適消去パワーとする。このようにすることで、記録時の記録パワーが実際の最適記録パワーよりも低いことにより、決定された最適消去パワーが実際の最適消去パワーと一致しない事態を回避できる。
【００５６】
図８は、本発明の第３実施形態の光学情報記録媒体記録再生装置における消去パワーの選定の手順をフローチャートで示している。本実施形態の光学情報記録媒体記録再生装置は、図１に示す第１実施形態の光学情報記録媒体記録再生装置１０と同様な構成を有する。本実施形態は、最適消去パワーの設定に先立って、最適記録パワーの設定を行う点で、第１実施形態と相違する。
【００５７】
光学情報記録媒体記録再生装置１０は、まず、記録パワーを調整し、最適記録パワーを決定し、消去パワーＰｅを、その最適記録パワーの１／２をに設定する（ステップＤ０１）。ステップＤ０１では、例えば、光学情報記録媒体１６の未記録トラックに記録パワーのレーザ光をオーバーライトなしで照射し、その反射光量に対応する信号レベルを読み取って、その信号レベルが所定の値以上となったか否かを確認することにより、最適記録パワーを決定する。次いで、記録パワーＰｗを、ステップＤ０１で決定した最適記録パワーに所定の係数をかけたパワーに設定する（ステップＤ０２）。
【００５８】
ステップＤ０２では、所定の係数として、１以上の値を用いる。例えば、所定の係数を１．１とした場合には、ステップＤ０１で決定した最適記録パワーが３．０ｍＷであれば、ステップＤ０２では、記録パワーＰｗを、３．０ｍＷ×１．１＝３．３ｍＷに設定する。光学情報記録媒体記録再生装置１０は、図３のステップと同様に消去パワーの変化範囲を設定し（ステップＤ０３）、ステップＡ０４と同様に、光学情報記録媒体１６に対して、ステップＤ０１及びＤ０２で設定した記録パワーＰｗ及び消去パワーＰｅで、所定の領域に記録を行う（ステップＤ０４）。その後、ステップＡ０５と同様に、記録区間を、ステップＤ０３で設定した変化範囲内で段階的に変化させた消去パワーの消去レーザ光により消去する（ステップＤ０５）。
【００５９】
光学情報記録媒体記録再生装置１０は、ステップＡ０６と同様に、消去後の各区域における反射光量に対応する信号レベルを測定し（ステップＤ０６）、消去区域における反射光量に対応する信号レベルと、あらかじめ定めた光学情報記録媒体１６の未記録の記録トラックからの反射光量に対応する信号レベルとの差が、所定の範囲内となる消去パワーを抽出する（ステップＤ０７）。光学情報記録媒体記録再生装置１０は、ステップＡ０８と同様に、消去パワーが抽出できたか否かを判断し（ステップＤ０８）、抽出できなかったときには、ステップＤ０９と同様に、消去パワーの変化範囲を前回の範囲よりも狭く設定する（ステップＣＤ０９）。
【００６０】
光学情報記録媒体記録再生装置１０は、ステップＤ０７で信号レベルの差が所定範囲内となる消去パワーが抽出されるまで、ステップＤ０４〜Ｄ０９を繰り返し行う。信号レベルの差が所定範囲内となる消去パワーが抽出されると、光学情報記録媒体記録再生装置１０は、ステップＡ１０と同様に、抽出された消去パワーのうちで、最小の消去パワーを最適消去パワーとして選定する（ステップＤ１０）。
【００６１】
第２実施形態では、記録パワーが実際の最適記録パワー以上となったか否かを確認するために、記録を少なくとも２回行う必要があった。これに対し、本実施形態では、先に最適記録パワーを決定し、その最適記録パワーに所定の係数を掛けた値の記録パワーで記録を行い、記録区間を消去パワーを変化させつつ消去して、最適消去パワーを決定する。このように、ステップＤ０４の記録を、実際の最適記録パワー以上の記録パワーで行うことにより、記録を複数回行わなくても、最適消去パワーを決定することができる。
【００６２】
なお、第１実施形態では、記録パワーの規定値が、光学情報記録媒体１６に記録される例について示したが、これには限定されない。例えば、光学情報記録媒体記録再生装置１０に記録パワーの規定値を記録させておき、その記録パワーを用いて、ステップＡ０２の記録を行ってもよい。また、本発明は、ＨｔｏＬ（High to Low）媒体の光学情報記録媒体１６にも同様に適用できる。ステップＡ０２等では、記録区間を直流的な消去レーザによって消去するのに代えて、間欠的に一定パワーを照射するパルス消去によって、記録区間を消去してもよい。ステップＡ０３等で決定する消去パワーの変化範囲については、上記実施形態で説明した範囲には限定されない。例えば、記録パワーの１／２を基準として、その−３０％〜＋７０％の範囲を消去パワーの変化範囲とすることができる。
【００６３】
第２実施形態では、あらかじめ定められた所定の記録パワーを初期値として、記録パワーを増加する例について示したが、第１実施形態と同様に、光学情報記録媒体１６から読み出した記録パワーの規定値を、記録パワーの初期値として用いることもできる。第３実施形態では、最適記録パワーを決定し、その最適記録パワーに所定の係数を掛けた記録パワーを記録に用いる記録パワーに設定したが、最適記録パワーを決定するのに代えて、光学情報記録媒体１６から記録パワーの規定値を読み出し、その規定値に所定の係数を掛けた記録パワーを、ステップＤ０４の記録に用いる記録パワーとしもよい。この場合でも、記録パワーの規定値に係数を掛けた記録パワーが実際の最適記録パワー以上となることで、消去率が最大となる消去パワーを最適消去パワーとすることができる。また、ステップＤ０１で最適記録パワーを決定する際には、第２実施形態の説明で記載した手法以外の手法を用いることもできる。
【００６４】
第１実施形態では、記録パワーＰｗの設定後、ステップＡ０２で未記録トラックの反射光量に対応する信号レベルを取得する例について示したが、未記録トラックの反射光量に対応する信号レベルを取得するステップは、この位置には限定されない。例えば、ステップＡ０６で、消去区域の反射光量に対応する信号レベルを測定する際に、未記録トラックに再生光を照射して取得してもよい。また、第２及び第３実施形態では、消去区域の反射光量に対応する信号レベルと、あらかじめ定めた未記録トラックの反射光量に対応する信号レベルとを比較したが、これに代えて、未記録トラックに再生光を照射して未記録トラックの反射光量に対応する信号レベルを取得するステップを追加し、第１実施形態と同様に、その取得した未記録トラックの反射光量に対応する信号レベルと、消去区域の反射光量に対応する信号レベルとを比較してもよい。
【００６５】
以上、本発明をその好適な実施形態に基づいて説明したが、本発明の光学情報記録媒体記録再生装置及び記録条件設定方法は、上記実施形態例にのみ限定されるものではなく、上記実施形態の構成から種々の修正及び変更を施したものも、本発明の範囲に含まれる。
【図面の簡単な説明】
【００６６】
【図１】本発明の第１実施形態の光学情報記録媒体記録再生装置の要部を示すブロック図。
【図２】記録を行う際のレーザ変調波形（光パルス列）の一例を示す波形図。
【図３】光学情報記録媒体記録再生装置における消去パワーの選定の手順を示すフローチャート。
【図４】消去パワーと、消去区域における反射光に対応する信号レベル及び消去率との関係を示すグラフ。
【図５】本発明の第２実施形態の光学情報記録媒体記録再生装置における消去パワーの選定の手順を示すフローチャート。
【図６】消去パワー決定処理の詳細を示すフローチャート。
【図７】消去パワーと、消去区域における反射光に対応する信号レベル及び消去率との関係を示すグラフ。
【図８】本発明の第３実施形態の光学情報記録媒体記録再生装置における消去パワーの選定の手順を示すフローチャート。
【符号の説明】
【００６７】
１０：光学情報記録媒体記録再生装置
１１：レーザ
１２：ビームスプリッタ（ＢＳ）
１４：反射ミラー
１５：対物レンズ
１６：光学情報記録媒体
２０：光検出器（ＰＤ）
２１：ＬＤドライバ（ＬＤＤ）
２４：電流／電圧変換器（Ｉ／Ｖ）
３０：制御部（ＭＰＵ）
３３：可変ゲインアンプ（ＶＧＡ  ＥＱ）
３４：スライサー
３５：基準電圧
４０：ＳＵＭ判定回路
【図１】
2006268937.tif 000003
【図２】
2006268937.tif 000004
【図３】
2006268937.tif 000005
【図４】
2006268937.tif 000006
【図５】
2006268937.tif 000007
【図６】
2006268937.tif 000008
【図７】
2006268937.tif 000009
【図８】
2006268937.tif 000010